(57)【要約】【課題】本発明は紙製多重巻きロールの液体導入面を形成する多重巻き耳部の巻き間の間隙を健全に維持すると共に、同多重巻き耳部の膨潤乃至溶解侵食を防止する液体濾過フィルターを提供する。【解決手段】紙製帯状シート２を多重巻きした紙製多重巻きロール１から成り、該紙製多重巻きロール１の軸線上において対向する一端面を液体導入面６とし、同他端面を液体導出面７とした構成を有する液体濾過フィルターにおいて、上記紙製多重巻きロール１の上記液体導入面６を含む一端部に限定して、又は上記液体導入面６と液体導出面７を含む両端部に限定して耐水材含浸層１０を形成した液体濾過フィルター。【選択図】        図９  
2005246209.tif 000002
【特許請求の範囲】
【請求項１】
紙製帯状シートを多重巻きした紙製多重巻きロールから成り、該紙製多重巻きロールの軸線上において対向する一端面を液体導入面とし、同他端面を液体導出面とした構成を有する液体濾過フィルターにおいて、上記紙製多重巻きロールの上記液体導入面を含む一端部に限定して又は上記液体導入面と液体導出面を含む両端部に限定して耐水材含浸層を形成したことを特徴とする液体濾過フィルター。
【請求項２】
上記紙製多重巻きロールの外周面に上記耐水材含浸層に連続する耐水材被層を形成したことを特徴とする請求項１記載の液体濾過フィルター。
【請求項３】
上記紙製帯状シートは複数条の紙製帯状シートの貼り合わせシートから成ることを特徴とする請求項１記載の液体濾過フィルター。
【請求項４】
上記紙製帯状シートは複数条の紙製帯状シートの貼り合わせシートから成り、該貼り合わせシートにクレープを施した構造のものであることを特徴とする請求項１記載の液体濾過フィルター。
【発明の詳細な説明】
【技術分野】
【０００１】
本発明は各種廃液等の不純物を含有する液体、例えばビルの床等の清掃に用いられる使用済み洗浄液の再生に用いられる液体濾過フィルターに関する。
【背景技術】
【０００２】
特許文献１は紙製帯状シートを多重巻きした紙製多重巻きロールから成り、該紙製多重巻きロールの軸線上において対向する一端面を食用油導入面とし、同他端面を食用油導出面とした食用油の濾過フィルターを教示している。
【０００３】
又この濾過フィルターにおいては、内部に光触媒炭を含有せしめ食用油を脱色する機能を付加している。
【特許文献１】特開２００２−１５９８０９号公報
【発明の開示】
【発明が解決しようとする課題】
【０００４】
然しながら上記濾過フィルターは、食用油導入面を形成する多重巻きロールの一端部、即ち紙製帯状シートの多重巻き耳部が早期に膨潤し、且つ型崩れを引き起こし食用油の内部への浸透を損ない、フィルター機能を低下する問題点を有している。
【０００５】
殊に上記紙製多重巻きロールを、ビルの床面清掃等に用いられているアルカリ洗浄液等の再生用濾過フィルターとして使用した場合には、紙製多重巻きロールの液体導入面側端部、即ち紙製帯状シートの多重巻き耳部の溶解侵食や型崩れが著しく、早期に目詰まりを来してフィルター機能を悪化し、耐用寿命の低下を来たし不経済である問題を有している。
【課題を解決するための手段】
【０００６】
発明者は上記問題点を防止する方策として、多重巻きに供する紙製帯状シートの表裏面に耐水加工を予め施しておき多重巻きロールを形成する方法を試行したが、この方法では多重巻きロール全体の透水性を著しく低下し、紙製帯状シートの良好な透水効果に依存したフィルター本来の機能を損なう結果となった。
【０００７】
又紙製帯状シートを多重巻きしてロールにした後に、該ロール全体を耐水材内にドブ漬けすることを試行したが、耐水材が紙製帯状シートの巻間の間隙に浸入して（ロール内部まで浸入して）、紙製帯状シートの大部分に浸透してしまい、同様の結果となることを見出した。
【０００８】
これらの知見に基づき、上記紙製多重巻きロールの上記液体導入面を含む一端部に限定して、又は上記液体導入面と液体導出面を含む両端部に限定してパラフィン系ワックスに代表される耐水材含浸層を形成し、上記耐水材含浸層の形成帯域を除いた紙製帯状シートの多重巻き部を残存せしめる構成としたものである。
【０００９】
上記耐水材含浸層は紙製多重巻きロールを形成した後に、該ロールの一端部又は一端部と他端部を液状耐水材内にドブ漬けし、乾燥して形成する。該耐水材含浸層は紙製多重巻きロールを形成する紙製帯状シートの多重巻き耳部に耐水材を含浸し形成されるものであり、該耳部に剛性を付与し、且つ耐水性（防水性、撥水性を含む）を付与する。
【００１０】
上記構成の液体濾過フィルターは、紙製帯状シートの多重巻き耳部の多重巻き間の界面又は間隙を健全に維持すると共に、同多重巻き耳部の膨潤乃至溶解侵食を防止し、液体導入面からのロール内への液体の浸入、又は液体導入面と液体導出面からの液体の浸入と浸出を良好にする。
【００１１】
同時に限定して配した上記耐水材含浸層の形成帯域を除いた紙製帯状シートの多重巻き部における、例えば上下耐水材含浸層間の多重巻き部における液体浸透効果を適切に発揮せしめることができる。
【００１２】
他例として上記ロール端に耐水材含浸層を形成しつつ、紙製多重巻きロールの外周面に上記耐水材含浸層に連続する耐水材被層を形成し、ロール周面からの液体漏出を阻止し、ロール内部における液体浸透を健全に進行せしめる。
【００１３】
好ましい例示として、上記紙製帯状シートは複数条の紙製帯状シートの貼り合わせシートを適用する。
【００１４】
更に好ましい例示として、上記貼り合わせシートにクレープを施した紙製帯状シートを用いる。
【００１５】
上記貼り合わせシートの適用によって、ロールを貼り合わせ接着材層が多重巻きされた構造にする。よって紙製多重巻きロール内に浸透した液体による多重巻きされた紙製帯状シートの膨潤、型崩れを有効に抑止し、多重巻き紙製帯状シートを通しての液体のロール軸線方向への浸透に良好な指向性を付与する。
【００１６】
加えて貼り合わせシートの適用により、紙製帯状シートにテンションを与えつつ多重巻きする場合の引っ張り強度を適切に確保する。
【００１７】
更には上記貼り合わせシートにクレープを施した構造にすることにより、各紙製帯状シートに同調したクレープの山と谷を形成し、均一なクレープ付き紙製多重巻きロールを形成できると共に、クレープを適切に保形する強度が得られ、クレープ付与による濾過効果を有効に発揮せしめることができる。
【発明を実施するための最良の形態】
【００１８】
以下本発明を実施するための最良の形態を図１乃至図９に基づき説明する。
【００１９】
図１に示すように紙製多重巻きロール１の基材として、紙製帯状シート２を用意する。この紙製帯状シート２はパルプ繊維から成るシートである。
【００２０】
図２Ａ，Ｂに示すように、上記紙製帯状シート２としては複数条の紙製帯状シートの貼り合わせシートを適用する。例えば第一紙製帯状シート３と第二紙製帯状シート４とを接着材８を介して貼り合わせた貼り合わせシートを適用し紙製多重巻きロール１を形成する。
【００２１】
上記紙製帯状シート２にはクレープ５を施したものを用いる。例えば紙製帯状シート２を複数条の紙製帯状シート、好ましくは第一紙製帯状シート３と第二紙製帯状シート４の二条の貼り合わせシートにて形成しつつ、該貼り合わせシートにクレープ５を施した構造のクレープ紙を適用する。
【００２２】
上記紙製帯状シート２を多重巻きして紙製多重巻きロール１を形成する。例えば巻取軸１５を芯材としてその周面に多重巻きにする。この巻取軸１５は好ましくは紙管を用いる。又は紙管の他、合成樹脂管、又は金属管等を用いることができる。巻取軸１５として管材を用いる場合には、フィルターとして使用する時、又は事前に管材の少なくとも液体導入面６側の端部開口を閉塞し液体９が通流しないようにする。
【００２３】
上記紙製多重巻きロール１は軸線上において対向する一端面で液体導入面６を形成し、同他端面で液体導出面７を形成している。
【００２４】
図８（写真）は上記クレープ５を施した紙製帯状シート２を多重巻きして形成したロール１の要部拡大平面図を示し、同図に示すように、液体導入面６と液体導出面７を含むロール全長において、クレープ５の山と山を突き合わせ、谷部間に間隙１３を形成した構造を示している。
【００２５】
図７に示すように、上記複数条の紙製帯状シート３，４の貼り合わせシートの適用によって、液体９を透過しない貼り合わせ接着材層８が多重巻きされた構造を得る。よって紙製多重巻きロール１内に浸透した液体９によるロール１全長における多重巻きされた紙製帯状シート２の膨潤、型崩れを有効に抑止し、多重巻き紙製帯状シート２を通しての液体９のロール軸線方向への浸透に指向性を付与する。
【００２６】
加えて貼り合わせシートの適用により、紙製帯状シート２にテンションを与えつつ多重巻きする場合の引っ張り強度を適切に確保し、ロール１の高密度多重巻きを容易にする。
【００２７】
上記複数条の紙製帯状シート３，４の貼り合わせシートに事後的にクレープ５を施す構造により、接着材層８を介しての互いに同調したクレープ５の山と谷を形成する。
【００２８】
又均一なクレープ５付き紙製多重巻きロール１を形成できると共に、クレープ５を適切に保形し、クレープ５付与による濾過効果を有効に惹起する。
【００２９】
上記紙製多重巻きロール１の原紙としては、上記貼り合わせシートを適用する他、複層抄きにして一枚にした紙製帯状シート２を適用する場合を含む。
【００３０】
又上記紙製帯状シート２としてはクラフト紙、タオル原紙、おしぼり原紙を適用することができる。クラフト紙は引っ張り強度に富み剛性を有し、容易に膨潤せず、紙製多重巻きロール１から成る液体濾過フィルターの基材として適性である。
【００３１】
又上記貼り合わせシートとしては、クラフト紙から成る帯状シート２とクラフト紙から成る帯状シート２を接着材（接着材層８）を介して貼り合わせた帯状シート２を用いる。又はクラフト紙とタオル原紙の貼り合わせシート、又はクラフト紙とおしぼり原紙の貼り合わせシート、又はタオル原紙相互の貼り合わせシート、又はおしぼり原紙相互の貼り合わせシートを適用する。その他家庭用薄用紙の適用を妨げない。
【００３２】
図３に示すように、上記紙製多重巻きロール１には上記液体導入面６を含む一端部（ロールの一方端）に限定して耐水材含浸層１０を形成し、液体濾過フィルターを形成する。
【００３３】
又は図４に示すように、上記液体導入面６を含む一端部（ロールの一方端）と、液体導出面７を含む他端部（ロールの他方端）、即ちロール１の両端部に限定して耐水材含浸層１０を形成し、液体濾過フィルターを形成する。
【００３４】
上記液体導入面６を含む一端部、又は上記液体導入面６と液体導出面７を含む両端部に限定してパラフィン系ワックスに代表される耐水材の含浸層１０を形成し、該耐水材含浸層１０を形成しない非含浸多重巻き部１４を残存する。
【００３５】
図６に示すように、上記液体導入面６を含む一端部、又は上記液体導入面６と液体導出面７を含む両端部に限定してパラフィン系ワックスに代表される耐水材の含浸層１０を形成し、紙製帯状シート２の多重巻き耳部１１の巻き間の界面又は間隙（クレープ５を施した時の間隙）１３を健全に維持すると共に、同多重巻き耳部１１の膨潤乃至溶解侵食を防止し、含浸層１０を形成しない非含浸多重巻き部１４の浸透効果を健全に維持する。
【００３６】
又図８に示すように、紙製帯状シート２としてクレープ紙を用いた場合、上記耐水材含浸層１０はクレープ５の保形効果を助長し、クレープ５の山の突き合わせによる谷部間における間隙１３の形成を確保し、クレープ５による濾過効果を健全に発揮せしめる。
【００３７】
上記耐水材含浸層１０は紙製多重巻きロール１を形成した後に、該ロール１の一端部又は一端部と他端部を液状耐水材内にドブ漬けし、乾燥して形成する。
【００３８】
上記耐水材としては、ロジン系サイズ剤、シリコン剤、ポリエチレンワックス、パラフィン系ワックス等を用いる。
【００３９】
上記耐水材含浸層１０は紙製多重巻きロール１を形成する紙製帯状シート２の多重巻き耳部１１に耐水材を含浸し形成されるものであり、該耳部１１に剛性を付与し、且つ耐水性（防水性、撥水性を含む）を付与する。
【００４０】
上記構成の液体濾過フィルターは、紙製帯状シート２の多重巻き耳部１１の多重巻き間の間隙１３を健全に維持すると共に、同多重巻き耳部１１の膨潤乃至溶解侵食を防止し、液体導入面６からのロール１内への液体９の浸入、又は液体導入面６と液体導出面７からの液体９の浸入と浸出を良好にする。
【００４１】
同時に限定して配した上記耐水材含浸層１０の形成帯域を除いた紙製帯状シート２の非含浸多重巻き部１４における、例えば上下耐水材含浸層１０間の非含浸多重巻き部１４における液体浸透効果、濾過効果を適切に発揮せしめる。
【００４２】
図９に示すように、上記液体９は紙製多重巻きロール１の液体導入面６へ向け加圧して供給され、該液体９の加圧供給による液体導入面６における多重巻き耳部１１からの液体９の浸入を促進し、該加圧力によりロール１内、即ちロール多重巻き部１４内への浸透を健全に進行せしめる。又液体導出面７における多重巻き耳部１１における液体９の浸出を促進する。
【００４３】
他例として図５に示すように、上記紙製多重巻きロール１の一方端又は同両端に耐水材含浸層１０を形成しつつ、紙製多重巻きロール１の外周面に上記耐水材含浸層１０に連続する耐水材被層１２を形成する。
【００４４】
上記耐水材被層１２としては、ロジン系サイズ剤、シリコン剤、ポリエチレンワックス、パラフィン系ワックス等を用いる。
【００４５】
この耐水材被層１２は少なくとも多重巻きの最外周の紙製帯状シート２の外表面に塗工され、その内部に浅く含浸するか、紙製多重巻きロール１の外層部の復数巻きの紙製帯状シート２に含浸する。
【００４６】
上記紙製多重巻きロール１の外周面に塗工した耐水材被層１２はロール１の周面からの液体９漏出を阻止し、ロール内部における液体９の浸透を健全に進行せしめる。
【図面の簡単な説明】
【００４７】
【図１】紙製多重巻きロール紙の原紙として供される紙製帯状シートの平面図。
【図２】Ａは上記紙製帯状シートを形成する貼り合わせシートの断面図、Ｂは該貼り合わせシートにクレープを施した状態を示す断面図。
【図３】上記紙製帯状シートを多重巻きして形成した紙製多重巻きロールの一端に限定して耐水材含浸層を形成した液体濾過フィルターを示す断面図。
【図４】上記紙製帯状シートを多重巻きして形成した紙製多重巻きロールの両端に限定して耐水材含浸層を形成した液体濾過フィルターを示す断面図。
【図５】上記図３，図４に示す耐水材含浸層に加え紙製多重巻きロールの外周面に耐水材被層を形成した液体濾過フィルターを示す断面図。
【図６】上記紙製多重巻きロールから成る液体濾過フィルターの端部に耐水材含浸層を形成した場合における紙製帯状シートの多重巻き耳部の間隙形成状態を示す要部拡大断面図。
【図７】上記紙製多重巻きロールから成る液体濾過フィルターを貼り合わせシートによって形成した場合における紙製帯状シートの多重巻き耳部の構造を示す要部拡大断面図。
【図８】上記紙製多重巻きロールから成る液体濾過フィルターをクレープを施した紙製帯状シートによって形成した場合における、同ロールの要部拡大平面図（写真）。
【図９】上記紙製多重ロール成る液体濾過フィルターにおける液体浸透状態を説明する側面図。
【符号の説明】
【００４８】
１…紙製多重巻きロール、２…紙製帯状シート、３…第一紙製帯状シート、４…第二紙製帯状シート、５…クレープ、６…液体導入面、７…液体導出面、８…接着材層、９…液体、１０…耐水材含浸層、１１…多重巻き耳部、１２…耐水材被層、１３…間隙、１４…非含浸多重巻き部、１５…巻取軸。
【図１】
2005246209.tif 000003
【図２】
2005246209.tif 000004
【図３】
2005246209.tif 000005
【図４】
2005246209.tif 000006
【図５】
2005246209.tif 000007
【図６】
2005246209.tif 000008
【図７】
2005246209.tif 000009
【図９】
2005246209.tif 000010
【図８】
2005246209.tif 000011